(57)【要約】【課題】易開封性を有する袋を提供する。【解決手段】袋は、第１フィルムと、第２フィルムと、第１側部シール部及び第２側部シール部と、第１接合部と第１嵌合部とを有する第１部材と、第２接合部と第２嵌合部と、を有する第２部材と、破断機構と、を備える。第１部材のうち第１側部シール部と第２側部シール部との間に位置する部分は、第２フィルムと接合されていない。破断機構は、第１フィルムに位置し、第１側部シール部側から第２側部シール部側に延びる一対の切断部ハーフカット線と、第１側部シール部に位置し、第１フィルム、第１部材及び第２フィルムを含むつまみ部であって、一対の切断部ハーフカット線の間に位置する基部を含むつまみ部と、第１側部シール部において第１フィルム、第１部材及び第２フィルムを貫通し、つまみ部の基部に接続されている一端及び他端を含む貫通部と、を備える。【選択図】図１
2020132234.tif 000002
【特許請求の範囲】
【請求項１】
内容物を収容する収容部を備える袋であって、
前記袋の第１面を構成する第１フィルムと、
前記第１面に対向する第２面を構成する第２フィルムであって、前記第１フィルムとの間に前記収容部を画成する第２フィルムと、
前記袋の外縁に沿って延びるとともに互いに対向し、前記第１フィルムと前記第２フィルムとを接合する第１側部シール部及び第２側部シール部と、
前記第１フィルムの内面に接合されている第１接合部と、前記第１接合部と重ならないよう位置する第１嵌合部と、を有する第１部材と、
前記第１フィルムの内面に接合されている第２接合部と、前記第１嵌合部と嵌合可能な第２嵌合部と、を有する第２部材と、
前記第１接合部と前記第２接合部との間の位置において前記第１フィルムを破断させるための破断機構と、を備え、
前記第１部材の前記第１接合部及び前記第１嵌合部並びに前記第２部材の前記第２嵌合部及び前記第２接合部はそれぞれ、前記第１側部シール部から前記第２側部シール部に延びており、
前記第１部材のうち前記第１側部シール部と前記第２側部シール部との間に位置する部分は、前記第２フィルムと接合されておらず、
前記破断機構は、
前記第１フィルムに位置し、前記第１側部シール部側から前記第２側部シール部側に延びる一対の切断部ハーフカット線と、
前記第１側部シール部に位置し、前記第１フィルム、前記第１部材及び前記第２フィルムを含むつまみ部であって、一対の前記切断部ハーフカット線の間に位置する基部を含むつまみ部と、
前記第１側部シール部において前記第１フィルム、前記第１部材及び前記第２フィルムを貫通し、前記つまみ部の前記基部に接続されている一端及び他端を含む貫通部と、を備える、袋。
【請求項２】
前記破断機構は、前記つまみ部よりも前記収容部側において前記第２フィルムに位置し、一対の前記切断部ハーフカット線を横切る引裂防止部ハーフカット線を備える、請求項１に記載の袋。
【請求項３】
前記引裂防止部ハーフカット線は、前記第１側部シール部に位置し、前記第２フィルムを貫通して前記第１部材に至っている、請求項２に記載の袋。
【請求項４】
前記第１フィルム及び前記第２フィルムはいずれも、内容物側の表面を構成する熱可塑性樹脂層を含み、
前記第１フィルムの前記熱可塑性樹脂層及び前記第２フィルムの前記熱可塑性樹脂層はいずれも、ポリエチレン又はポリプロピレンを主成分として含む、請求項１乃至３のいずれか一項に記載の袋。
【請求項５】
前記第１フィルムと前記第２フィルムとの間に位置し、前記袋の下部を構成する第３フィルムを更に備える、請求項１乃至４のいずれか一項に記載の袋。
【請求項６】
前記第１フィルム及び前記第２フィルムを含み、前記第１フィルムと前記第２フィルムとの間に、前記収容部に収容されている前記内容物が注出されるときに前記内容物が流通する流通路が形成される注出口部を更に備える、請求項１乃至５のいずれか一項に記載の袋。
【発明の詳細な説明】
【技術分野】
【０００１】
本発明は、易開封性を有する袋に関する。
【背景技術】
【０００２】
開封のための破断機構を備える袋が知られている。例えば特許文献１に開示されている袋は、内面に熱接着性樹脂層を配したフィルムを重ねることによって構成されている。また、対向する表面側のフィルム及び裏面側のフィルムの上部の基材層には、第１切目線及び第２切目線がそれぞれ設けられている。第１切目線は、少なくとも中央部で第２切目線と上下にずれている。
【０００３】
このように形成した袋を第１切目線及び第２切目線に沿って切断することで、表面側のフィルムと裏面側のフィルムとの切断端が上下にずれる。これにより、表面側のフィルムの切断端と裏面側のフィルムの切断端とを把持しやすく、開閉が容易になる。
【先行技術文献】
【特許文献】
【０００４】
【特許文献１】特開２０１６−８０６６号公報
【発明の概要】
【発明が解決しようとする課題】
【０００５】
引用文献１に記載の袋を切断する場合、表面側のフィルムと裏面側のフィルムを同時に引裂いて開封するため、引裂くときの抵抗が大きくなる場合が多い。
【０００６】
本発明は、易開封性を有する袋を提供することを目的とする。
【課題を解決するための手段】
【０００７】
本発明は、内容物を収容する収容部を備える袋であって、前記袋の第１面を構成する第１フィルムと、前記第１面に対向する第２面を構成する第２フィルムであって、前記第１フィルムとの間に前記収容部を画成する第２フィルムと、前記袋の外縁に沿って延びるとともに互いに対向し、前記第１フィルムと前記第２フィルムとを接合する第１側部シール部及び第２側部シール部と、前記第１フィルムの内面に接合されている第１接合部と、前記第１接合部と重ならないよう位置する第１嵌合部と、を有する第１部材と、前記第１フィルムの内面に接合されている第２接合部と、前記第１嵌合部と嵌合可能な第２嵌合部と、を有する第２部材と、前記第１接合部と前記第２接合部との間の位置において前記第１フィルムを破断させるための破断機構と、を備え、前記第１部材の前記第１接合部及び前記第１嵌合部並びに前記第２部材の前記第２嵌合部及び前記第２接合部はそれぞれ、前記第１側部シール部から前記第２側部シール部に延びており、前記第１部材のうち前記第１側部シール部と前記第２側部シール部との間に位置する部分は、前記第２フィルムと接合されておらず、前記破断機構は、前記第１フィルムに位置し、前記第１側部シール部側から前記第２側部シール部側に延びる一対の切断部ハーフカット線と、前記第１側部シール部に位置し、前記第１フィルム、前記第１部材及び前記第２フィルムを含むつまみ部であって、一対の前記切断部ハーフカット線の間に位置する基部を含むつまみ部と、前記第１側部シール部において前記第１フィルム、前記第１部材及び前記第２フィルムを貫通し、前記つまみ部の前記基部に接続されている一端及び他端を含む貫通部と、を備える、袋である。
【０００８】
本発明による袋において、前記破断機構は、前記つまみ部よりも前記収容部側において前記第２フィルムに位置し、一対の前記切断部ハーフカット線を横切る引裂防止部ハーフカット線を備えてもよい。
【０００９】
本発明による袋において、前記引裂防止部ハーフカット線は、前記第１側部シール部に位置し、前記第２フィルムを貫通して前記第１部材に至っていてもよい。
【００１０】
本発明による袋において、前記第１フィルム及び前記第２フィルムはいずれも、内容物側の表面を構成する熱可塑性樹脂層を含み、前記第１フィルムの前記熱可塑性樹脂層及び前記第２フィルムの前記熱可塑性樹脂層はいずれも、ポリエチレン又はポリプロピレンを主成分として含んでもよい。
【００１１】
本発明による袋は、前記第１フィルムと前記第２フィルムとの間に位置し、前記袋の下部を構成する第３フィルムを更に備えてもよい。
【００１２】
本発明による袋は、前記第１フィルム及び前記第２フィルムを含み、前記第１フィルムと前記第２フィルムとの間に、前記収容部に収容されている前記内容物が注出されるときに前記内容物が流通する流通路が形成される注出口部を更に備えてもよい。
【発明の効果】
【００１３】
本発明によれば、易開封性を有する袋を提供することができる。
【図面の簡単な説明】
【００１４】
【図１】本発明の実施の形態における袋を示す正面図である。
【図２】積層体の層構成の一例を示す断面図である。
【図３】積層体の層構成の他の一例を示す断面図である。
【図４】図１に示す袋をＩＶ−ＩＶ線に沿って見た場合を示す断面図である。
【図５】図１に示す袋をＶ−Ｖ線に沿って見た場合を示す断面図である。
【図６】切断部ハーフカット線の付近における積層体の層構成及び切断部ハーフカット線の形態の一例を示す部分断面図である。
【図７】図１に示す袋の引裂防止部及び引裂把持部の付近を拡大して示す正面図である。
【図８】図７に示す部分を第２フィルム側からみた場合を示す背面図である。
【図９】袋の製造工程の一部を示す図である。
【図１０】袋の製造工程の一部を示す図である。
【図１１】上部が封止された状態の袋を示す正面図である。
【図１２】図１１に示す袋をＸＩＩ−ＸＩＩ線に沿って見た場合を示す断面図である。
【図１３】破断機構を用いて開封された状態の袋を示す斜視図である。
【図１４】破断機構を用いて開封された状態の袋を示す断面図である。
【図１５】嵌合部によって封止された状態の袋を示す断面図である。
【図１６】袋の一変形例を示す正面図である。
【図１７】袋の一変形例を示す正面図である。
【図１８】袋の一変形例を示す正面図である。
【発明を実施するための形態】
【００１５】
以下、図１乃至図１５を参照して、本発明の実施の形態について説明する。なお、本件明細書に添付する図面においては、図示と理解のしやすさの便宜上、縮尺及び縦横の寸法比等を、実物のそれらから適宜変更し誇張してある。
【００１６】
また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１７】
袋
図１は、本実施の形態における袋１０を表面側から見た場合を示す正面図である。袋１０は、内容物を収容する収容部１８を備える。なお、図１においては、内容物が収容される前の、上部１１が開口している状態の袋１０が示されている。上部１１は、袋１０に内容物を収容した後に封止される。本実施の形態による袋１０は、袋１０に内容物を収容した状態で、内容物の調理を行うことができる調理用パウチとして好適に使用することができるよう構成されている。なお、「調理」は、広く解釈され、食に供される状態まで調理する場合（「完成調理」ともいう）のみならず、食に供される状態の手前まで調理する場合（袋１０を用いた調理の後に追加調理が必要な場合。「半完成調理」ともいう）も含む。調理の例としては、加熱、混合などを挙げることができる。混合とは、袋１０に収容されている２種類以上の内容物を混ぜることである。袋１０を用いた混合作業の際の消費者の動作の例としては、揉む、振る、押し潰すなどを挙げることができる。また、「混合」（混ぜる）とは、予め粉体や液状調味料などが入った容器に水や卵や肉、野菜などの別の材料を加え、容器を密閉した上で内容物を混ぜ合わせる調理のことをいう。また、「揉む」とは、容器を密閉した上で容器ごと内容物を揉んだり押したりして混ぜることをいう。また「振る」とは、容器を密閉した上で容器を上下左右などに振って内容物を混ぜることをいう。
【００１８】
袋１０に収容される内容物としては、例えば、粉体（粒体を含む）、液体、流動性を有する食材、刻まれた食材が挙げられる。内容物は、第１内容物と第２内容物とに大別される。第１内容物は、メーカーにより、商品販売時に予め収容部１８に収容されている場合と、収容部１８が空の状態で袋１０を入手した消費者が、後述する破断機構に沿って形成された開口部を介して収容部１８に導入する場合と、がある。第２内容物は、消費者により、第１内容物が収容されている収容部１８に、破断機構に沿って形成された開口部を介して更に導入される材料である。
【００１９】
半完成調理における第１内容物としては、例えば、いわゆる「プレミックス」（Ｐｒｅｐａｒｅｄ  Ｍｉｘの略称、ｐｒｅ−ｍｉｘ）、小麦粉（薄力粉）、強力粉、てんぷら粉が挙げられる。プレミックスは、ケーキ，パンなどを簡便に調理できる調整粉で、小麦粉等の粉類（澱粉を含む）に糖類，油脂，粉乳，卵粉、膨張剤，食塩，香料などを必要に応じて適正に配合したものである。プレミックスとしては、ホットケーキミックス、お好み焼きミックス、パンミックス、クッキーミックス、もんじゃ焼きミックスが挙げられる。また、オムレツ用の具材として、例えば、ハム、生クリーム、カット野菜、半調理された野菜、冷凍野菜が挙げられる。
【００２０】
また、半完成調理又は完成調理における第１内容物としては、惣菜、プロテイン（粉）、アミノ酸（粉）、青汁（粉）等の健康食品、ダイエット食品、ドライフルーツ、シリアル、果物、ナッツ、菓子、デザート、その他加工食品、食事代替用の各種の粉体が挙げられる。また、粉末珈琲、スポーツ飲料、その他粉末の飲料の素が挙げられる。
【００２１】
第２内容物としては、例えば、牛乳、豆乳、ジュース、珈琲、紅茶、水などの液体、卵などの流動性を有する食材、チーズ、チョコレート等の、刻まれたり、溶けて流動性を有する食材、ベーキングパウダー、食塩、糖類、香辛料などの粉体、各種液状調味料、イースト菌などの酵母、氷が挙げられる。
【００２２】
完成調理において、第１内容物としての氷菓（シャーベット状アイスなど）、アイスクリーム類などの冷菓と、第２内容物としてのミルクやシロップ等の飲料用の液体とを混合することで、フローズン状の飲料を容易に作成することができる。
【００２３】
本発明の袋１０は、ケーキやオムレツのように混合された材料に空気を多く含ませてふんわりと焼く場合に適している。また、珈琲などの飲料を泡立てて混合する場合にも適している。
【００２４】
なお、本実施の形態に係る袋１０を用いて調理され得る限りにおいて、第１内容物及び第２内容物として、上記以外のものを選択することが可能である。
【００２５】
本実施の形態においては、袋１０の使い方に関し、一例として、上部１１が封止された状態の袋１０に予め第１内容物が収容されており、これに消費者が更に第２内容物を追加した状態で、第１内容物と第２内容物とを混合させる、という使い方を想定して、袋１０について説明する。
【００２６】
本実施の形態において、袋１０は、自立可能に構成された底ガセット式の袋である。袋１０は、上部１１、下部１２、第１側部１３及び第２側部１４を含み、正面図において略矩形状の輪郭を有する。なお、「上部」、「下部」及び「側部」などの名称、並びに、「上方」などの用語は、ガセット部を下にして袋１０が自立している状態を基準として袋１０やその構成要素の位置や方向を相対的に表したものに過ぎない。袋１０の輸送時や使用時の姿勢などは、本明細書における名称や用語によっては限定されない。
【００２７】
以下、袋１０の構成について説明する。本実施の形態による袋１０は、第１フィルム１５、第２フィルム１６、第３フィルム１７、第１部材３１、第２部材３２及び破断機構３３を備える。第１フィルム１５は袋１０の表面を構成し、第２フィルム１６は袋１０の裏面を構成し、第３フィルム１７は袋１０の下部１２を構成している。第３フィルム１７は、折り返し部１７ｆで折り返された状態で、第１フィルム１５と第２フィルム１６との間に配置されている。破断機構３３は、消費者が第２内容物を袋１０に投入する際に袋１０を開封するための構成要素である。第１部材３１及び第２部材３２は、消費者が第２内容物を袋１０に投入した後に袋１０を封止するための構成要素である。第１部材３１は、図１に示す第１接合部３１ａ及び第１嵌合部３１ｂを有する。第２部材３２は、図１に示す第２接合部３２ａ及び第２嵌合部３２ｂを有する。なお、図１においては、第２フィルム１６などの、袋１０を表面側から見た場合には視認されない構成要素が点線で表されている。
【００２８】
なお、上述の「第１フィルム」、「第２フィルム」及び「第３フィルム」という用語は、袋１０の表面、裏面又は下部１２に位置するといった、袋１０における位置関係に応じて各フィルムを区画したものに過ぎず、袋１０を製造する際のフィルムの提供方法が、上述の用語によって限定されることはない。例えば、袋１０は、第１フィルム１５と第２フィルム１６と第３フィルム１７が連設された１枚のフィルムを用いて製造されてもよく、第１フィルム１５と第３フィルム１７が連設された１枚のフィルムと１枚の第２フィルム１６の計２枚のフィルムを用いて製造されてもよく、１枚の第１フィルム１５と１枚の第２フィルム１６と１枚の第３フィルム１７の計３枚のフィルムを用いて製造されてもよい。
【００２９】
第１フィルム１５、第２フィルム１６及び第３フィルム１７は、内面同士がシール部によって接合されている。図１などの平面図においては、シール部と、後述する第１接合部３１ａ及び第２接合部３２ａにハッチングが施されている。
【００３０】
図１に示すように、シール部は、袋１０の外縁に沿って延びる外縁シール部を有する。外縁シール部は、下部１２に広がる下部シール部１２ａ、第１側部１３に沿って延びる第１側部シール部１３ａ、及び、第１側部１３に対向する第２側部１４に沿って延びる第２側部シール部１４ａを含む。なお、内容物が収容される前の状態の袋１０においては、図１Ａに示すように、袋１０の上部１１は第１開口部１１ｂになっている。袋１０に内容物を収容した後、第１フィルム１５の内面と第２フィルム１６の内面とを上部１１において接合することにより、上部シール部が形成されて袋１０が密閉される。
【００３１】
第１側部シール部１３ａ、第２側部シール部１４ａ及び上部シール部は、第１フィルム１５の内面と第２フィルム１６の内面とを接合することによって構成されるシール部である。一方、下部シール部１２ａは、第１フィルム１５の内面と第３フィルム１７の内面とを接合することによって構成されるシール部、及び、第２フィルム１６の内面と第３フィルム１７の内面とを接合することによって構成されるシール部を含む。
【００３２】
対向するフィルム同士を接合して袋１０を密閉することができる限りにおいて、シール部を形成するための方法が特に限られることはない。例えば、加熱などによってフィルムの内面を溶融させ、内面同士を溶着させることによって、すなわちヒートシールによって、シール部を形成してもよい。若しくは、接着剤などを用いて対向するフィルムの内面同士を接着することによって、シール部を形成してもよい。
【００３３】
次に、第１フィルム１５及び第２フィルム１６を構成する積層体２１の層構成について説明する。図２及び図３は、積層体２１の層構成の一例を示す断面図である。
【００３４】
積層体２１は、基材層２６及びシーラント層２７を少なくとも含む。図２に示す例においては、基材層２６が積層体２１の外面２１ｙを構成し、シーラント層２７が積層体２１の内面２１ｘを構成している。図２に示す例において、積層体２１は、積層体２１の外面２１ｙから内面２１ｘに向かって、基材層２６、基材層２６とシーラント層２７とを接着する接着層２８、及びシーラント層２７を、この順に含む。この場合、積層体２１の厚みは、例えば６０μｍ以上であり、より好ましくは７０μｍ以上である。また、積層体２１の厚みは、例えば１１０μｍ以下であり、より好ましくは１００μｍ以下である。また、積層体２１は、図３に示すように、基材層２６とシーラント層２７との間に位置する中間層２４を更に含んでいてもよい。この場合、積層体２１は、図３に示すように、積層体２１の外面２１ｙから内面２１ｘに向かって、基材層２６、基材層２６と中間層２４とを接着する接着層２８、中間層２４、中間層２４とシーラント層２７とを接着する接着層２５、及びシーラント層２７を、この順に含んでいてもよい。また、積層体２１は、図２及び図３に示す層以外の層を更に含んでいてもよい。
【００３５】
基材層２６を構成する材料としては、例えば、ポリエチレンテレフタレートやポリブチレンテレフタレートなどのポリエステルやナイロンなどのポリアミドや高密度ポリエチレンやポリプロピレンといったポリオレフィンなどのプラスチックを用いることができる。基材層２６の厚みは、例えば１０μｍ以上かつ３０μｍ以下である。
【００３６】
中間層２４を構成する材料としては、例えば、金属箔又は蒸着フィルムを用いることができる。これにより、中間層２４は、水蒸気や酸素などのガスに対してガスバリア性を有する。中間層２４に用いられる金属箔は、例えばアルミニウム箔である。中間層２４に用いられる蒸着フィルムは、例えば基材と基材に蒸着された蒸着膜とを備える。この場合、基材としては、例えばポリエチレンテレフタレート（ＰＥＴ）又はポリアミド（ＰＡ）を用いることができ、蒸着膜としては、例えばアルミニウム又は無機酸化物を用いることができる。
【００３７】
シーラント層２７を構成する材料としては、例えば、エチレン−メタクリル酸共重合体（ＥＭＭＡ）や低密度ポリエチレン（ＬＤＰＥ）や直鎖状低密度ポリエチレン（ＬＬＤＰＥ）などのポリエチレンやポリプロピレンを用いることができる。シーラント層２７の厚みは、例えば４０μｍ以上であり、より好ましくは５０μｍ以上である。また、シーラント層２７の厚みは、例えば１００μｍ以下であり、より好ましくは７０μｍ以下である。
【００３８】
接着層２５及び接着層２８の構成は任意である。例えば、接着層２５及び接着層２８は、押し出し法によって形成される層であってもよく、ドライラミネート法によって形成される層であってもよい。例えば、エクストルージョンコーター（不図示）などを用いた押し出し法により接着層２８を介して基材層２６と中間層２４とが接着され、接着層２５を介して中間層２４とシーラント層２７とが接着されてもよい。また、ウレタン系などの接着剤からなる接着層２５及び接着層２８を用いたドライラミネート法により、基材層２６、中間層２４及びシーラント層２７を接着してもよい。
【００３９】
次に、第３フィルム１７の層構成について説明する。第１フィルム１５の内面及び第２フィルム１６の内面と接合可能な内面を有する限りにおいて、第３フィルム１７の層構成は任意である。例えば、第１フィルム１５及び第２フィルム１６と同様に、第３フィルム１７として上述の積層体２１を用いてもよい。若しくは、内面がシーラント層によって構成され、且つ積層体２１とは異なる構成のフィルムを、第３フィルム１７として用いてもよい。
【００４０】
第１部材及び第２部材
次に、図１、図４及び図５を参照して、第１部材３１及び第２部材３２の構成について説明する。図４は、袋１０を図１のＩＶ線に沿って切断した場合を示す断面図である。また、図５は、袋１０を図１のＶ線に沿って切断した場合を示す断面図である。
【００４１】
第１部材３１は、第１接合部３１ａを含むベースフィルム３１ｃと、第１嵌合部３１ｂとを有する。図４に示すように、ベースフィルム３１ｃは、袋１０の上部１１寄りの部分において第１フィルム１５と第２フィルム１６との間に位置するフィルムである。上述の第１接合部３１ａとは、ベースフィルム３１ｃのうち第１フィルム１５の内面に接合されている部分のことである。第１嵌合部３１ｂは、第１接合部３１ａと重ならないように位置しており、ベースフィルム３１ｃのうち第１接合部３１ａ以外の部分に設けられている。図４に示す例において、第１接合部３１ａは、ベースフィルム３１ｃのうち第１フィルム１５の内面と対向する面に位置している。図４に示すように、第１部材３１のうち第１側部シール部１３ａと第２側部シール部１４ａとの間に位置する部分は、第２フィルム１６と接合されていない。
【００４２】
第２部材３２は、第２接合部３２ａと第２嵌合部３２ｂとを有する。図４に示すように、第２接合部３２ａは、第１フィルム１５の内面に接合されている。また、第２嵌合部３２ｂは、第１嵌合部３１ｂと嵌合可能に構成されている。図４においては、第１嵌合部３１ｂと第２嵌合部３２ｂとが嵌合した様子を示している。図１などの平面図においては、第１フィルム１５の内面に接合されている第１接合部３１ａ及び第２接合部３２ａに、シール部に施されたハッチングとは異なるハッチングが施されている。
【００４３】
第１接合部３１ａ及び第２接合部３２ａを第１フィルム１５の内面に接合する方法は、特に限定されない。例えば、加熱などによって第１接合部３１ａ、第２接合部３２ａ及び第１フィルム１５の内面を溶融させ、第１接合部３１ａと第１フィルム１５の内面とを溶着させ、第２接合部３２ａと第１フィルム１５の内面とを溶着させることによって接合してもよい。若しくは、接着剤などを用いて第１接合部３１ａと第１フィルム１５の内面とを接着し、第２接合部３２ａと第１フィルム１５の内面とを接着することによって接合してもよい。
【００４４】
ベースフィルム３１ｃは、第１フィルム１５の内面と接合可能な面を有する。ベースフィルム３１ｃは、第１フィルム１５の変形に追従して変形可能な程度の厚みを有する。ベースフィルム３１ｃの厚みは、例えば２５μｍ以下であり、１５μｍ以下であってもよい。ベースフィルム３１ｃを構成する材料としては、ポリエチレンテレフタレート（ＰＥＴ）、延伸ナイロン（ＯＮＹ）、ポリブチレンテレフタレート（ＰＢＴ）、又は、ポリエチレン（ＰＥ）やポリプロピレン（ＰＰ）などのポリオレフィンなどを用いることができる。
【００４５】
ベースフィルム３１ｃと同様に、第２接合部３２ａも、第１フィルム１５の内面と接合可能な面を有する。また、第２接合部３２ａも、第１フィルム１５の変形に追従して変形可能な程度の厚みを有する。第２接合部３２ａの厚みは、例えば４０μｍ以下であり、３０μｍ以下であってもよい。第２接合部３２ａを構成する材料としては、ＰＰ、ＰＥなどを用いることができる。
【００４６】
第１嵌合部３１ｂ及び第２嵌合部３２ｂの形状は、互いに嵌合可能である限り、特に限定されない。具体的には、図４に示すように、第１嵌合部３１ｂを雌型、第２嵌合部３２ｂを雄型とすることができる。また、図示はしないが、第１嵌合部３１ｂを雄型、第２嵌合部３２ｂを雌型とすることもできる。
【００４７】
第１嵌合部３１ｂ及び第２嵌合部３２ｂは、内容物の加熱時に溶融したり損傷したりしない程度の耐熱性を有する。第１嵌合部３１ｂ及び第２嵌合部３２ｂを構成する材料としては、ＰＰ、ＰＥなどを用いることができる。第１嵌合部３１ｂは、ベースフィルム３１ｃと一体的に構成されていてもよい。また、第２嵌合部３２ｂは、第２接合部３２ａと一体的に構成されていてもよい。なお、「一体的」とは、両者の間に接合面などの界面が存在しないことを意味する。
【００４８】
図４に示す例において、第２嵌合部３２ｂは第２接合部３２ａに重なっている。すなわち、第２部材３２のうち第１フィルム１５の内面に接合されている部分において、第２フィルム１６側に第２嵌合部３２ｂが設けられている。しかしながら、第２嵌合部３２ｂの配置はこれに限られない。例えば、図示はしないが、第２部材３２のうち第１フィルム１５の内面に接合されていない部分に第２嵌合部３２ｂが設けられていてもよい。
【００４９】
本実施の形態においては、図１及び図５に示すように、第１部材３１及び第２部材３２が、第１側部シール部１３ａから第２側部シール部１４ａに至るよう形成されている。図１に示す例においては、第１接合部３１ａ、第１嵌合部３１ｂ、第２接合部３２ａ及び第２嵌合部３２ｂがそれぞれ、第１側部シール部１３ａから第２側部シール部１４ａに延びている。このため、第１嵌合部３１ｂと第２嵌合部３２ｂが嵌合されている時、袋１０の内部には、収容部１８から隔離された空間１９が形成される。空間１９は、第１接合部３１ａ、ベースフィルム３１ｃ、第１嵌合部３１ｂ、第２嵌合部３２ｂ、第２接合部３２ａ及び第１フィルム１５によって囲われている。
【００５０】
破断機構
次に、破断機構３３について説明する。破断機構３３は、第１フィルム１５を破断させて上述の空間１９に連通する開口部を第１フィルム１５に形成するための構成要素である。図１及び図４に示すように、破断機構３３は、第１接合部３１ａと第２接合部３２ａとの間の位置において第１フィルム１５を破断させ、開口部を形成するための構成要素である。以下、破断機構３３を利用して第１フィルム１５を破断させることによって形成された開口部のことを、第２開口部とも称する。図１、図４及び図５に示す例において、破断機構３３は、一対の切断部ハーフカット線３３１と、つまみ部３３２と、貫通部３３３と、を備える。また、図１に示す例において、破断機構３３は、引裂防止部ハーフカット線３３４を更に備える。
【００５１】
一対の切断部ハーフカット線３３１について説明する。一対の切断部ハーフカット線３３１は、図１に示すように、第１フィルム１５に位置し、第１側部シール部１３ａ側から第２側部シール部１４ａ側に延びる。ここで、切断部ハーフカット線３３１とは、例えば図２又は図３に示すような積層体２１から構成される第１フィルム１５において、一部に形成される凹部であって、積層体２１の全ての層を貫通するものではない形状のものを指す。図１に示す例において、一対の切断部ハーフカット線３３１は、平行に並ぶ。また、一対の切断部ハーフカット線３３１は、袋１０の第１側部１３側の辺から第２側部１４側の辺まで延びている。
【００５２】
図６は、図４に示す断面図の一対の切断部ハーフカット線３３１の付近における、第１フィルム１５を構成する積層体２１の層構成、及び切断部ハーフカット線３３１の形態の一例を示す図である。なお、図６は、第１フィルム１５が図２に示す層構成を有する場合について示している。一対の切断部ハーフカット線３３１は、図６に示すように、シーラント層２７に達しないように基材層２６に設けられた凹部である。図６に示す例において、切断部ハーフカット線３３１は、基材層２６の面のうち収容部１８とは反対側の面に設けられた、基材層２６を貫通しない凹部である。なお、図示はしないが、切断部ハーフカット線３３１は、基材層２６を貫通していてもよい。切断部ハーフカット線３３１によって、第１フィルム１５を、切断部ハーフカット線３３１に沿って破断させやすくすることができる。
【００５３】
次に、つまみ部３３２、貫通部３３３、及び引裂防止部ハーフカット線３３４について説明する。図７は、図１に示す袋１０の引裂防止部７２及び引裂把持部７３の付近を拡大して示す図である。図８は、袋１０の図７に示す範囲を第２フィルム１６側からみた場合を示す図である。なお、図８においては、切断部ハーフカット線３３１などの、袋１０を第２フィルム１６側から見た場合には視認されない構成要素が点線で表されている。
【００５４】
つまみ部３３２は、消費者が一対の切断部ハーフカット線３３１に沿って第１フィルム１５を破断させる際に摘むことのできる部分である。つまみ部３３２は、図７に示すように、第１側部シール部１３ａに位置する。また、つまみ部３３２は、図５に示すように、第１フィルム１５、第１部材３１及び第２フィルム１６を含む。図５及び図７に示す例において、つまみ部３３２は、第１フィルム１５、第１部材３１及び第２フィルム１６の一部に後述する貫通部３３３が設けられていることによって、消費者が摘むことができるように構成されている部分である。図７に示す例においては、つまみ部３３２の輪郭が、後述する貫通部３３３と引裂防止部ハーフカット線３３４とによって規定されている。つまみ部３３２は、一対の切断部ハーフカット線３３１の間に位置する基部３３２ａを含む。図７に示す例において、基部３３２ａは、つまみ部３３２のうち第２側部１４側に位置する部分であって、つまみ部３３２に含まれる第１フィルム１５とつまみ部３３２よりも第２側部側に位置する第１フィルム１５とが、一対の切断部ハーフカット線３３１の間において連結している部分である。つまみ部３３２は、消費者にとって摘みやすい形状を有する。例えば、袋１０の上下方向におけるつまみ部３３２の寸法は、袋１０の上下方向における一対の切断部ハーフカット線３３１同士の間隔よりも大きい。つまみ部３３２は、例えば、ヒートシールによって第１側部シール部１３ａを形成した後に、形成される。
【００５５】
貫通部３３３は、図１、図５及び図６に示すように、第１側部シール部１３ａにおいて第１フィルム１５、第１部材３１及び第２フィルム１６を貫通する。貫通部３３３は、つまみ部３３２の周囲に形成され、つまみ部３３２の輪郭の一部を規定している。また、貫通部３３３は、図７に示すように、つまみ部３３２の基部３３２ａに接続されている一端３３３ａ及び他端３３３ｂを含む。なお、貫通部３３３の一端３３３ａ及び他端３３３ｂは、図７に示すようにつまみ部３３２の基部３３２ａに直接的に接続されていてもよく、若しくは、図示はしないが、一対の切断部ハーフカット線３３１を介してつまみ部３３２の基部３３２ａに接続されていてもよい。
【００５６】
引裂防止部ハーフカット線３３４は、図８に示すように、つまみ部３３２よりも収容部１８側において第２フィルム１６に位置し、一対の切断部ハーフカット線３３１を横切る。図８に示す例において、引裂防止部ハーフカット線３３４は、第１側部シール部１３ａに位置する。また、図５に示す例において、引裂防止部ハーフカット線３３４は、袋１０のうち第２フィルム１６の外面から第１部材３１の第１フィルム１５側の面までの部分を貫通している。図８に示す例において、引裂防止部ハーフカット線３３４は、つまみ部３３２の周囲に形成され、基部３３２ａにおけるつまみ部３３２の輪郭を規定している。引裂防止部ハーフカット線３３４によって、第２フィルム１６や第１部材３１のうちつまみ部３３２に含まれる部分を、第２フィルム１６や第１部材３１のうちつまみ部３３２よりも収容部１８側の部分から分離することにより、つまみ部３３２を第１フィルム１５側に引き上げる又は押し上げることに要する力を低減することができる。また、第１フィルム１５のうち一対の切断部ハーフカット線３３１の間に位置する部分と重なっている第２フィルム１６や第１部材３１がつまみ部３３２を第１フィルム１５側に引き上げる又は押し上げる際に破断してしまうことを抑制することができる。
【００５７】
図示はしないが、破断機構３３は、さらに第２側部シール部１４ａに位置するつまみ部３３２、貫通部３３３及び引裂防止部ハーフカット線３３４を備えてもよい。言い換えれば、つまみ部３３２、貫通部３３３及び引裂防止部ハーフカット線３３４は、第１側部１３側と第２側部１４側との両方に形成されてもよい。
【００５８】
袋の製造方法
次に、図９及び図１０を参照して、本実施の形態における袋１０の製造方法について説明する。図９は、袋１０の製造工程において、袋１０の構成要素をどのように重ねて接合するのかを示した斜視図である。図１０は、第１部材３１の第１接合部３１ａ及び第２部材３２の第２接合部３２ａを、それぞれ第１フィルム１５の内面に接合する工程における、第１部材３１、第２部材３２及び第１フィルム１５の様子を示した図である。
【００５９】
まず、図９に示すように、第１フィルム１５、第２フィルム１６、第１部材３１、第２部材３２を準備する。なお、第１フィルム１５、第２フィルム１６、第１部材３１、第２部材３２はそれぞれ、第１部材３１の第１嵌合部３１ｂ及び第２部材３２の第２嵌合部３２ｂが延びる方向に沿って延びる長尺状の部材として準備されてもよい。
【００６０】
次に、第１フィルム１５に、図９に示すように、一対の切断部ハーフカット線３３１を形成する。一対の切断部ハーフカット線３３１は、例えば、第１フィルム１５の面のうち、製造された袋１０の外側を構成する面に、所望の深さの切断部ハーフカット線３３１が形成されるようにレーザー出力値（％）と印字スピードとを調整しつつ、炭酸ガスレーザー光を照射することによって形成することができる。なお、第１フィルム１５が金属薄膜の中間層２４を有する場合において、基材層２６側からレーザー光を照射したときは、レーザー光が中間層２４で反射される。このため、レーザー光による中間層２４、接着層２５の貫通などの損傷が抑制される。したがって、上記の場合、レーザー光のレーザー出力値（％）と印字スピードとを調整せずとも、基材層２６及び接着層２８を貫通する切断部ハーフカット線３３１を形成することができる。
【００６１】
次に、第１部材３１の第１接合部３１ａ及び第２部材３２の第２接合部３２ａを、それぞれ第１フィルム１５の内面に接合する。また、第１フィルム１５及び第２フィルム１６の下部１２側に、折り返した状態の第３フィルム１７を挿入し、各フィルムの内面同士をヒートシールして、下部シール部１２ａ、第１側部シール部１３ａ、第２側部シール部１４ａなどのシール部を形成する。なお、第１接合部３１ａ及び第２接合部３２ａを第１フィルム１５の内面に接合する工程においては、図１０に示すように、第１部材３１と第２部材３２との間に邪魔板５１を挿入してもよい。これにより、第１部材３１と第２部材３２とが接合されることを抑制することができる。
【００６２】
その後、ヒートシールによって互いに接合された各フィルムを、袋１０の形状に切り抜く。このようにして、図１に示す袋１０を得ることができる。
【００６３】
第１内容物の充填方法
次に、上述の袋１０に第１内容物を充填する方法について説明する。まず、図１及び図４に示す袋１０の上部１１の第１開口部１１ｂを介して、第１内容物６１を袋１０に充填する。次に、第１内容物６１が収容された袋１０の上部１１をヒートシールして上部シール部１１ａを形成する。このようにして、第１内容物６１が収容され封止された袋１０を得ることができる。図１１は、上部１１が封止された状態の袋１０を示す正面図である。また、図１２は、袋１０を図１１のＸＩＩ線に沿って切断した場合を示す断面図である。
【００６４】
袋１０の上部１１の第１開口部１１ｂを介して第１内容物６１を袋１０に充填する際、第１内容物６１は、第２フィルム１６と第１部材３１との間を通る。従って、本実施の形態によれば、第１嵌合部３１ｂと第２嵌合部３２ｂとの間を通すことなく第１内容物６１を収容部１８に充填することができる。このため、第１嵌合部３１ｂ及び第２嵌合部３２ｂに第１内容物６１が付着することを抑制することができるので、第１内容物６１の付着に起因して第１嵌合部３１ｂと第２嵌合部３２ｂとの間の嵌合力が低下することを抑制することができる。また、消費者が第１嵌合部３１ｂ及び第２嵌合部３２ｂを開く際に第１内容物６１が消費者の手に付着することを抑制することができる。
【００６５】
袋の使用方法
次に、第１内容物６１が収容された袋１０を消費者が使用する方法の一例について説明する。まず、消費者は、破断機構３３を利用して袋１０を開封する。図１３は、開封された状態の袋１０を示す斜視図である。図１４は、開封された状態の袋１０を示す断面図である。
【００６６】
以下、破断機構３３を利用して袋１０を開封する方法について説明する。まず、消費者は、袋１０のつまみ部３３２を第１フィルム１５側に立ち上げてつまみ部３３２を摘む。次に、消費者は、第１側部１３側から第２側部１４側に向かって、つまみ部３３２を引く。これによって、つまみ部３３２の基部３３２ａを起点として、一対の切断部ハーフカット線３３１に沿って、第１フィルム１５を袋１０の幅方向に引き裂くことができる。これによって、図１３及び図１４に示すように、第１接合部３１ａと第２接合部３２ａとの間において第１フィルム１５に、第１側部１３側から第２側部１４側に延び、一対の切断部ハーフカット線３３１同士の間隔に対応した間隔を有する第２開口部１１ｃを形成することができる。なお、図１３においては、第１フィルム１５のうち一対の切断部ハーフカット線３３１の間に位置する部分が袋１０から分離するまでつまみ部３３２を引いた場合の袋１０を示しているが、第１フィルム１５を破断させる方法は、これに限定されるものではない。例えば、消費者は、つまみ部３３２が第１フィルム１５のうち一対の切断部ハーフカット線３３１の間に位置する部分を介して第２側部１４側において袋１０とつながっている状態で、つまみ部３３２の引っ張りを停止してもよい。また、第１嵌合部３１ｂと第２嵌合部３２ｂとを予め嵌合させてある場合には、消費者は、第１部材３１と第２部材３２との間を広げるように袋１０に力を加えて、第１嵌合部３１ｂと第２嵌合部３２ｂとの間の嵌合を外す。このようにして、収容部１８に連通する第２開口部１１ｃを袋１０に形成することができる。
【００６７】
続いて、消費者は、第２開口部１１ｃを介して第２内容物６２を袋１０の収容部１８に追加する。次に、消費者は、第１内容物６１と第２内容物６２とを混合させる。第１内容物６１と第２内容物６２との混合は、例えば以下のようにして行うことができる。まず、図１５に示すように、第１嵌合部３１ｂと第２嵌合部３２ｂとを嵌合させて、袋１０を再び封止する。この場合、図１５に示すように、ベースフィルム３１ｃは、第１嵌合部３１ｂと第２嵌合部３２ｂとが嵌合している部分を覆うように配置される。続いて、袋１０ごと、第１内容物６１及び第２内容物６２を手で揉む。る。これによって、第１内容物６１及び第２内容物６２を混合させ、図１５に示すように、第１内容物６１と第２内容物との混合物６３を得ることができる。
【００６８】
第１内容物６１及び第２内容物６２を混合させ、混合物６３を得た後、消費者は、袋１０を開封して混合物６３を袋１０から取り出す。この時の袋１０の開封方法は任意である。例えば、消費者は、第１部材３１と第２部材３２との間を広げるように袋１０に力を加えて、第１嵌合部３１ｂと第２嵌合部３２ｂとの間の嵌合を外してもよい。この場合、消費者は、第２開口部１１ｃを介して第１内容物６１及び第２内容物６２を取り出すことができる。また、消費者は、袋１０を引き裂くことなどによって袋１０に新たな開口部を形成し、混合物６３を取り出してもよい。なお、消費者は、袋１０から混合物６３を取り出す際に、混合物６３の一部を袋１０の中に残して第１嵌合部３１ｂと第２嵌合部３２ｂとを再び嵌合させ、袋１０を用いて混合物６３を保管してもよい。
【００６９】
以下、本実施の形態に係る袋１０の効果について説明する。本実施の形態に係る袋１０は、一対の切断部ハーフカット線３３１に沿って引裂きを行う構成であり、力が一対の切断部ハーフカット線３３１に集中しやすい。そのため、第１フィルム１５及び第２フィルム１６の両方を引裂くこれまでの袋に比べて、小さい力で開封することが可能である。すなわち、開封が容易である。
【００７０】
また、本実施の形態に係る袋１０においては、図４に示すように、第１部材３１のうち第１側部シール部１３ａと第２側部シール部１４ａとの間に位置する部分が、第２フィルム１６と接合されていない。これによって、図４に示すように、第２フィルム１６と第１部材３１との間の第１開口部１１ｂが収容部１８に連通できる。このため、第１開口部１１ｂを介して、第１嵌合部３１ｂと第２嵌合部３２ｂとの間を通すことなく第１内容物６１を収容部１８に充填することができる。
【００７１】
また、本実施の形態に係る袋１０においては、図１及び図１１に示すように、第１接合部３１ａ、第１嵌合部３１ｂ、第２接合部３２ａ及び第２嵌合部３２ｂがそれぞれ、第１側部シール部１３ａから第２側部シール部１４ａに延びている。これによって、図１４に示すように第１側部シール部１３ａと第２側部シール部１４ａとの間に第２開口部１１ｃを形成した場合に、第１嵌合部３１ｂと第２嵌合部３２ｂとを嵌合させることによって、第２開口部１１ｃを閉じて袋１０を封止することができる。
【００７２】
また、例えば袋１０を消費者が使用する場合において、第２開口部１１ｃを介して第２内容物６２を袋１０の収容部１８に追加するとき、第１嵌合部３１ｂ及び第２嵌合部３２ｂに第２内容物６２が付着することが考えられる。この場合、図１５に示すように第１嵌合部３１ｂと第２嵌合部３２ｂとを嵌合させた際に、付着した第２内容物６２に起因して、第１嵌合部３１ｂと第２嵌合部３２ｂとの嵌合が弱くなることも考えられる。ここで、本実施の形態に係る袋１０においては、図１５に示すように、ベースフィルム３１ｃが、第１嵌合部３１ｂと第２嵌合部３２ｂとが嵌合している部分を覆うように配置される。このため、第１嵌合部３１ｂと第２嵌合部３２ｂとの嵌合が弱くなっている場合においても、ベースフィルム３１ｃによって、第１嵌合部３１ｂと第２嵌合部３２ｂとが嵌合している部分を、収容部１８内の内容物などから保護して、第１嵌合部３１ｂと第２嵌合部３２ｂとの嵌合がより維持されやすくすることができる。
【００７３】
（第１の変形例）
袋１０は、例えば図１６に示すように、収容部１８に収容されている内容物を注出する部位である注出口部４を有していてもよい。注出口部４は、第１フィルム１５及び第２フィルム１６を含む。図１６に示す例において、注出口部４は、第１フィルム１５及び第２フィルム１６と同じ材料で構成されている。第１フィルム１５と第２フィルム１６との間には、収容部１８に収容されている内容物が注出されるときに内容物が流通する流通路４０が形成される。
【００７４】
図１６に示す例において、注出口部４は、流通路４０と、流通路４０を囲む注出口シール部４７と、注出口つまみ部４４と、開封線４６と、開封予定部４８と、を有する。流通路４０は、第１フィルム１５と第２フィルム１６との間に形成され、袋１０から突出した通路であり、収容部１８に収容されている内容物が注出されるときに内容物が流通する通路である。注出口シール部４７は、流通路４０を囲むシール部である。注出口つまみ部４４は、注出口部４を開封する際に指で摘ままれる部分である。開封線４６は、注出口シール部４７と注出口つまみ部４４との境界線を形成する。開封予定部４８は、開封されることによって内容物が注出される注出口（開口）となる予定部である。開封線４６を破断し、その破断方向に沿って注出口部４を破断すると、開封予定部４８も破断される。これにより、注出口部４の開口が形成される。開封線４６は、注出口部４を破断して注出口部４の開口を形成する作業を容易化するために、第１フィルム１５及び第２フィルム１６に形成される。具体的には、開封線４６には、袋１０のうち、その他の部分に比べて破断され易くなるような加工が施されている。加工の例としては、ミシン目が例示される。開封予定部４８には、袋１０が開封され易くなるための易開封手段が設けられていてもよい。また、開封予定部４８には、特に易開封手段が設けられていなくてもよい。
【００７５】
第１の変形例に係る注出口部４を備える袋１０は、収容部１８に収容されている内容物を注出口部４から注出して排出することができる。特に第２開口部１１ｃから内容物を取り出す場合と比較した場合、内容物を注出口部４から注出する場合には、収容部１８に収容されている内容物を袋１０の外部へ少量ずつ排出したり、細く排出したりすることができる。すなわち、排出操作性を向上することができる。
【００７６】
（第２の変形例）
袋１０は、例えば図１７に示すように、収容部１８内の蒸気を外部に排出する蒸気抜き機構２０を有していてもよい。蒸気抜き機構２０は、蒸気の圧力が所定値以上になったときに袋１０の内部と外部とを連通させて蒸気を逃がすとともに、蒸気抜き機構２０以外の箇所から蒸気抜きが生じることを抑制するための構成要素である。蒸気抜き機構２０は、例えば図１７に示すように、第１側部シール部１３ａに接続されている蒸気抜きシール部２０ａを有する。蒸気抜きシール部２０ａは、収容部１８の圧力の増加に伴って剥離され易い形状を有している。図１７に示す例においては、蒸気抜きシール部２０ａは、第１側部シール部１３ａから袋１０の内側に向かって突出した形状を有している。これにより、収容部１８の圧力が増加した際に蒸気抜きシール部２０ａに加わる力を、第１側部シール部１３ａに加わる力よりも大きくすることができる。また、蒸気抜きシール部２０ａの幅は、第１側部シール部１３ａの幅よりも小さくなっている。また、図１７に示すように、蒸気抜きシール部２０ａと第１側部１３の外縁との間には非シール部２０ｂが形成されている。これにより、第１側部シール部１３ａに比べて蒸気抜きシール部２０ａにおいて、シール部の剥離に起因する収容部１８と外部との連通を生じ易くすることができる。上述の蒸気抜き機構２０は、図１７に示すように、第１部材３１及び第２部材３２よりも上部１１側に設けられていてもよい。また、図示はしないが、第１部材３１及び第２部材３２よりも下部１２側に設けられていてもよい。
【００７７】
第２の変形例に係る蒸気抜き機構２０を備える袋１０は、例えば電子レンジによって内容物を加熱する調理に用いることができる。
【００７８】
（第３の変形例）
上述の実施の形態及び各変形例においては、袋１０が、第１フィルム１５、第２フィルム１６及び第３フィルム１７を備える底ガセットタイプの袋である例を示した。しかしながら、これに限られることはなく、図１８に示すように、袋１０が、第１フィルム１５及び第２フィルム１６を備える、いわゆる平パウチであってもよい。
【００７９】
（第４の変形例）
上述の実施の形態においては、上部シール部１１ａによって封止されているが、破断機構３３の箇所では開封されていない状態の袋１０に、第１内容物６１が収容されている例を示した。しかしながら、これに限られることはなく、上部シール部１１ａによって封止されているが、破断機構３３の箇所では開封されていない状態の袋１０に、内容物が収容されていなくてもよい。この場合、消費者は、破断機構３３を利用して袋１０を開封した後、第２開口部１１ｃを介して内容物を袋１０の収容部１８に投入する。続いて、第１嵌合部３１ｂと第２嵌合部３２ｂとを嵌合させた後、内容物を調理してもよい。
【００８０】
なお、上述した実施の形態に対するいくつかの変形例を説明してきたが、当然に、複数の変形例を適宜組み合わせて適用することも可能である。
【符号の説明】
【００８１】
１０  袋
１１  上部
１１ａ  上部シール部
１１ｂ  第１開口部
１１ｃ  第２開口部
１２  下部
１２ａ  下部シール部
１３  第１側部
１３ａ  第１側部シール部
１４  第２側部
１４ａ  第２側部シール部
１５  第１フィルム
１６  第２フィルム
１７  第３フィルム
１７ｆ  折り返し部
１８  収容部
１９  空間
２０  蒸気抜き機構
２０ａ  蒸気抜きシール部
２０ｂ  非シール部
２０ｃ  貫通孔
２１  積層体
２１ｘ  内面
２１ｙ  外面
２４  中間層
２５  接着層
２６  基材層
２７  シーラント層
２８  接着層
３１  第１部材
３１ａ  第１接合部
３１ｂ  第１嵌合部
３１ｃ  ベースフィルム
３２  第２部材
３２ａ  第２接合部
３２ｂ  第２嵌合部
３３  破断機構
３３１  切断部ハーフカット線
３３２  つまみ部
３３２ａ  基部
３３３  貫通部
３３４  引裂防止部ハーフカット線
４  注出口部
４０  流通路
４４  注出口つまみ部
４６  開封線
４７  注出口シール部
４８  開封予定部
５１  邪魔板
６１  第１内容物
６２  第２内容物
【図１】
2020132234.tif 000003
【図２】
2020132234.tif 000004
【図３】
2020132234.tif 000005
【図４】
2020132234.tif 000006
【図５】
2020132234.tif 000007
【図６】
2020132234.tif 000008
【図７】
2020132234.tif 000009
【図８】
2020132234.tif 000010
【図９】
2020132234.tif 000011
【図１０】
2020132234.tif 000012
【図１１】
2020132234.tif 000013
【図１２】
2020132234.tif 000014
【図１３】
2020132234.tif 000015
【図１４】
2020132234.tif 000016
【図１５】
2020132234.tif 000017
【図１６】
2020132234.tif 000018
【図１７】
2020132234.tif 000019
【図１８】
2020132234.tif 000020